(57)【要約】【課題】各移動端末に応じたHOタイミングの調整に寄与することを図る。【解決手段】移動端末のHO失敗情報を集計してHO失敗ログを作成するHOログ作成装置１は、異なるHOパラメータが設定される移動端末を区別する端末区別情報を記憶する端末区別情報記憶部１１と、端末区別情報に基づいた移動端末グループ別にHO失敗情報を集計するログ集計部１２と、を備えたことを特徴とする。【選択図】図１
2014099737.tif 000002
【特許請求の範囲】
【請求項１】
移動端末のハンドオーバ失敗情報を集計してハンドオーバ失敗ログを作成するハンドオーバログ作成装置において、
異なるハンドオーバパラメータが設定される移動端末を区別する端末区別情報を記憶する端末区別情報記憶部と、
前記端末区別情報に基づいた移動端末グループ別に前記ハンドオーバ失敗情報を集計するログ集計部と、
を備えたことを特徴とするハンドオーバログ作成装置。
【請求項２】
前記端末区別情報は、移動端末毎に、ハンドオーバパラメータの決定に影響する属性情報を有することを特徴とする請求項１に記載のハンドオーバログ作成装置。
【請求項３】
前記属性情報は、移動端末のトラヒック種別、基地局間負荷分散対象種別、又は、移動状態を示すことを特徴とする請求項２に記載のハンドオーバログ作成装置。
【請求項４】
前記端末区別情報記憶部は、ハンドオーバ元での移動端末IDに関連付けて前記属性情報を保持し、
前記ログ集計部は、「Too Late HO」の発生が検知された場合に、「RLF Indication」により通知されたハンドオーバ元での移動端末IDに基づいて前記端末区別情報記憶部から属性情報を取得し、該取得した属性情報に基づいて当該「Too Late HO」のハンドオーバ失敗情報を集計する移動端末グループを判断する、
ことを特徴とする請求項２又は３に記載のハンドオーバログ作成装置。
【請求項５】
前記端末区別情報記憶部は、ハンドオーバが発生する度に、ハンドオーバ元での移動端末IDに関連付けて前記属性情報、ハンドオーバ先でのセルIDおよび移動端末IDを保持し、
前記ログ集計部は、「Too Early HO」の発生が検知された場合に、再接続メッセージにより通知されたハンドオーバ先でのセルIDおよび移動端末IDに基づいて前記端末区別情報記憶部から属性情報を取得し、該取得した属性情報に基づいて当該「Too Early HO」のハンドオーバ失敗情報を集計する移動端末グループを判断する、
ことを特徴とする請求項２又は３に記載のハンドオーバログ作成装置。
【請求項６】
前記端末区別情報記憶部は、ハンドオーバが発生する度に、ハンドオーバ元での移動端末IDに関連付けて前記属性情報、ハンドオーバ先でのセルIDおよび移動端末IDを保持し、
前記ログ集計部は、「HO to Wrong Cell」の発生が検知された場合に、「Target Cell」又は「Reconnection Cell」との情報交換により得られたハンドオーバ先でのセルIDおよび移動端末IDに基づいて前記端末区別情報記憶部から属性情報を取得し、該取得した属性情報に基づいて当該「HO to Wrong Cell」の「Target Cell」に関するハンドオーバ失敗情報を集計する移動端末グループを判断する、
ことを特徴とする請求項２又は３に記載のハンドオーバログ作成装置。
【請求項７】
前記端末区別情報記憶部は、ハンドオーバ元での移動端末IDに関連付けて前記属性情報を保持し、
前記ログ集計部は、「HO to Wrong Cell」の発生が検知された場合に、「Target Cell」又は「Reconnection Cell」との情報交換により得られたハンドオーバ元での移動端末IDに基づいて前記端末区別情報記憶部から属性情報を取得し、該取得した属性情報に基づいて当該「HO to Wrong Cell」の「Reconnection Cell」に関するハンドオーバ失敗情報を集計する移動端末グループを判断する、
ことを特徴とする請求項２又は３に記載のハンドオーバログ作成装置。
【請求項８】
異なるハンドオーバパラメータが設定される移動端末を区別する端末区別情報を記憶する端末区別情報記憶部と、
前記端末区別情報に基づいた各移動端末グループに属する移動端末に対して、該当する移動端末グループに設定されたハンドオーバパラメータを通知する通知部と、
を備えたことを特徴とするハンドオーバパラメータ通知装置。
【請求項９】
前記端末区別情報は、移動端末毎に、ハンドオーバパラメータの決定に影響する属性情報を有することを特徴とする請求項８に記載のハンドオーバパラメータ通知装置。
【請求項１０】
前記属性情報は、移動端末のトラヒック種別、基地局間負荷分散対象種別、又は、移動速度を示すことを特徴とする請求項９に記載のハンドオーバパラメータ通知装置。
【請求項１１】
移動端末のハンドオーバ失敗情報を集計してハンドオーバ失敗ログを作成するハンドオーバログ作成処理を行うためのコンピュータプログラムであって、
異なるハンドオーバパラメータが設定される移動端末を区別する端末区別情報を記憶部に記憶する端末区別情報記憶ステップと、
前記端末区別情報に基づいた移動端末グループ別に前記ハンドオーバ失敗情報を集計するログ集計ステップと、
をコンピュータに実行させるためのコンピュータプログラム。
【請求項１２】
異なるハンドオーバパラメータが設定される移動端末を区別する端末区別情報を記憶部に記憶する端末区別情報記憶ステップと、
前記端末区別情報に基づいた各移動端末グループに属する移動端末に対して、該当する移動端末グループに設定されたハンドオーバパラメータを通知する通知ステップと、
をコンピュータに実行させるためのコンピュータプログラム。
【発明の詳細な説明】
【技術分野】
【０００１】
本発明は、移動無線通信システムに係る、ハンドオーバログ作成装置、ハンドオーバパラメータ通知装置およびコンピュータプログラムに関する。
【背景技術】
【０００２】
近年、標準化団体の3GPP（3rd Generation Partnership Project）において、LTE（Long Term Evolution）システムと呼ばれるセルラシステムの標準化作業が進められている。LTEシステムにおいて、移動端末が接続する基地局を切り替える動作であるハンドオーバ（Handover：HO）は、移動端末が送信したMR（Measurement Report）を基地局が受信することを契機にして実行される。MRには複数の種類が存在する。
【０００３】
非特許文献１には、LTEシステムにおけるMR送信判定条件について記載されている。MR送信判定条件は、HOパラメータによって変更できる。したがって、HOパラメータを変更することでHOタイミングを調整できる。HOパラメータとしては、移動端末が接続する接続基地局と該接続基地局に隣接する隣接基地局についての受信電力や受信電力差に関するものが定義されている。
【０００４】
非特許文献２には、LTEシステムにおけるHO失敗事象（HO失敗原因）について記載されている。HO失敗原因には、大きく分けて、「Too Late HO」、「Too Early HO」及び「HO to Wrong Cell」の３つがある。
非特許文献３、４には、HO失敗発生時の失敗原因に応じて、それらが解消するように送信判定に用いる閾値を調整する技術が記載されている。
非特許文献５には、HO元のセルとHO先のセルのセルペア毎に、HO失敗原因（「Too Late HO」、「Too Early HO」、「HO to Wrong Cell」）別に発生回数を集計したHO失敗ログを作成する技術が記載されている。
【先行技術文献】
【非特許文献】
【０００５】
【非特許文献１】3GPP, TS36.331, v9.3.0, 2010-06.
【非特許文献２】3GPP, TS36.300, v9.8.0, 2011-09.
【非特許文献３】“移動局の位置を考慮したハンドオーバ・パラメータの自己最適化”, 2010年電子情報通信学会通信ソサイエティ大会, B-5-90
【非特許文献４】“Self-optimization for handover oscillation control in LTE”, Network Operations and Management Symposium (NOMS), 2010 IEEE
【非特許文献５】3GPP TS32.425, v9.5.0. 2010-10.
【発明の概要】
【発明が解決しようとする課題】
【０００６】
しかし、上述した従来のHO失敗ログ作成技術では、以下に示す課題がある。
一般に移動端末における適切なHOタイミングは、移動端末ごとに異なると考えられる。例えば、移動端末のトラヒック種別が異なれば、通信品質に対する要求も異なることがあり得るので、通信品質に影響するHOタイミングについても、適切なHOタイミングは異なると考えられる。また、HOタイミングの調整によって基地局間の負荷分散を図る場合、基地局間負荷分散の対象である移動端末と対象外の移動端末とでは、適切なHOタイミングは異なると考えられる。また、移動速度や移動方向が異なる移動端末間でも、適切なHOタイミングは異なると考えられる。
【０００７】
このように移動端末によって適切なHOタイミングが異なると考えられるので、その適切なHOタイミングに調整するHOパラメータは移動端末に応じて適宜、設定することが好ましい。このため、従来のHO失敗ログ作成技術のように、全移動端末を一律に扱って、HO失敗原因別に発生回数を集計してHO失敗ログを作成するのでは、移動端末に応じた適切なHOパラメータを決定することが難しい。
【０００８】
本発明は、このような事情を考慮してなされたもので、各移動端末に応じたHOタイミングの調整に寄与することができる、ハンドオーバログ作成装置、ハンドオーバパラメータ通知装置およびコンピュータプログラムを提供することを課題とする。
【課題を解決するための手段】
【０００９】
上記の課題を解決するために、本発明に係るハンドオーバログ作成装置は、移動端末のハンドオーバ失敗情報を集計してハンドオーバ失敗ログを作成するハンドオーバログ作成装置において、異なるハンドオーバパラメータが設定される移動端末を区別する端末区別情報を記憶する端末区別情報記憶部と、前記端末区別情報に基づいた移動端末グループ別に前記ハンドオーバ失敗情報を集計するログ集計部と、を備えたことを特徴とする。
【００１０】
本発明に係るハンドオーバログ作成装置において、前記端末区別情報は、移動端末毎に、ハンドオーバパラメータの決定に影響する属性情報を有することを特徴とする。
【００１１】
本発明に係るハンドオーバログ作成装置において、前記属性情報は、移動端末のトラヒック種別、基地局間負荷分散対象種別、又は、移動状態を示すことを特徴とする。
【００１２】
本発明に係るハンドオーバログ作成装置において、前記端末区別情報記憶部は、ハンドオーバ元での移動端末IDに関連付けて前記属性情報を保持し、前記ログ集計部は、「Too Late HO」の発生が検知された場合に、「RLF Indication」により通知されたハンドオーバ元での移動端末IDに基づいて前記端末区別情報記憶部から属性情報を取得し、該取得した属性情報に基づいて当該「Too Late HO」のハンドオーバ失敗情報を集計する移動端末グループを判断する、ことを特徴とする。
【００１３】
本発明に係るハンドオーバログ作成装置において、前記端末区別情報記憶部は、ハンドオーバが発生する度に、ハンドオーバ元での移動端末IDに関連付けて前記属性情報、ハンドオーバ先でのセルIDおよび移動端末IDを保持し、前記ログ集計部は、「Too Early HO」の発生が検知された場合に、再接続メッセージにより通知されたハンドオーバ先でのセルIDおよび移動端末IDに基づいて前記端末区別情報記憶部から属性情報を取得し、該取得した属性情報に基づいて当該「Too Early HO」のハンドオーバ失敗情報を集計する移動端末グループを判断する、ことを特徴とする。
【００１４】
本発明に係るハンドオーバログ作成装置において、前記端末区別情報記憶部は、ハンドオーバが発生する度に、ハンドオーバ元での移動端末IDに関連付けて前記属性情報、ハンドオーバ先でのセルIDおよび移動端末IDを保持し、前記ログ集計部は、「HO to Wrong Cell」の発生が検知された場合に、「Target Cell」又は「Reconnection Cell」との情報交換により得られたハンドオーバ先でのセルIDおよび移動端末IDに基づいて前記端末区別情報記憶部から属性情報を取得し、該取得した属性情報に基づいて当該「HO to Wrong Cell」の「Target Cell」に関するハンドオーバ失敗情報を集計する移動端末グループを判断する、ことを特徴とする。
【００１５】
本発明に係るハンドオーバログ作成装置において、前記端末区別情報記憶部は、ハンドオーバ元での移動端末IDに関連付けて前記属性情報を保持し、前記ログ集計部は、「HO to Wrong Cell」の発生が検知された場合に、「Target Cell」又は「Reconnection Cell」との情報交換により得られたハンドオーバ元での移動端末IDに基づいて前記端末区別情報記憶部から属性情報を取得し、該取得した属性情報に基づいて当該「HO to Wrong Cell」の「Reconnection Cell」に関するハンドオーバ失敗情報を集計する移動端末グループを判断する、ことを特徴とする。
【００１６】
本発明に係るハンドオーバパラメータ通知装置は、異なるハンドオーバパラメータが設定される移動端末を区別する端末区別情報を記憶する端末区別情報記憶部と、前記端末区別情報に基づいた各移動端末グループに属する移動端末に対して、該当する移動端末グループに設定されたハンドオーバパラメータを通知する通知部と、を備えたことを特徴とする。
【００１７】
本発明に係るハンドオーバパラメータ通知装置において、前記端末区別情報は、移動端末毎に、ハンドオーバパラメータの決定に影響する属性情報を有することを特徴とする。
【００１８】
本発明に係るハンドオーバパラメータ通知装置において、前記属性情報は、移動端末のトラヒック種別、基地局間負荷分散対象種別、又は、移動速度を示すことを特徴とする。
【００１９】
本発明に係るコンピュータプログラムは、移動端末のハンドオーバ失敗情報を集計してハンドオーバ失敗ログを作成するハンドオーバログ作成処理を行うためのコンピュータプログラムであって、異なるハンドオーバパラメータが設定される移動端末を区別する端末区別情報を記憶部に記憶する端末区別情報記憶ステップと、前記端末区別情報に基づいた移動端末グループ別に前記ハンドオーバ失敗情報を集計するログ集計ステップと、をコンピュータに実行させるためのコンピュータプログラムであることを特徴とする。
【００２０】
本発明に係るコンピュータプログラムは、異なるハンドオーバパラメータが設定される移動端末を区別する端末区別情報を記憶部に記憶する端末区別情報記憶ステップと、前記端末区別情報に基づいた各移動端末グループに属する移動端末に対して、該当する移動端末グループに設定されたハンドオーバパラメータを通知する通知ステップと、をコンピュータに実行させるためのコンピュータプログラムであることを特徴とする。
【発明の効果】
【００２１】
本発明によれば、各移動端末に応じたHOタイミングの調整に寄与することができるという効果が得られる。
【図面の簡単な説明】
【００２２】
【図１】本発明の第１実施形態に係るHOログ作成装置１の概略構成図である。
【図２】「Too Late HO」の説明図である。
【図３】本発明の実施例１に係る端末区別情報記憶部１１の構成例である。
【図４】本発明の実施例１に係る端末区別情報記憶部１１の構成例である。
【図５】本発明の実施例１に係る端末区別情報記憶部１１の構成例である。
【図６】本発明の実施例１に係るHO失敗ログの構成例である。
【図７】「Too Early HO」の説明図である。
【図８】本発明の実施例２に係る端末区別情報記憶部１１の構成例である。
【図９】本発明の実施例２に係るHO失敗ログの構成例である。
【図１０】「HO to Wrong Cell」の説明図である。
【図１１】本発明の実施例３に係るHO失敗ログの構成例である。
【図１２】本発明の第２実施形態に係るHO制御システム１００の概略構成図である。
【図１３】図１２に示すHOパラメータ決定装置３０の概略構成図である。
【図１４】図１２に示すHOパラメータ通知装置４０の概略構成図である。
【発明を実施するための形態】
【００２３】
以下、図面を参照し、本発明の実施形態について説明する。
【００２４】
［第１実施形態］
図１は、本発明の第１実施形態に係るHOログ作成装置１の概略構成図である。図１において、HOログ作成装置１は、端末区別情報記憶部１１とログ集計部１２を有する。HOログ作成装置１にはHO失敗情報が入力される。HOログ作成装置１はHO失敗情報を集計してHO失敗ログを作成する。
【００２５】
端末区別情報記憶部１１は、異なるHOパラメータが設定される移動端末を区別する端末区別情報を記憶する。端末区別情報は、移動端末毎に、HOパラメータの決定に影響する属性情報を有する。属性情報は、例えば、移動端末のトラヒック種別、基地局間負荷分散対象種別、又は、移動速度を示す情報である。ログ集計部１２は、端末区別情報記憶部１１に記憶される端末区別情報に基づいた移動端末グループ別に、HO失敗情報を集計する。
【００２６】
以下、HO失敗原因（「Too Late HO」、「Too Early HO」、「HO to Wrong Cell」）別に実施例を挙げて、第１実施形態に係るHOログ作成装置１の動作を説明する。なお、HOログ作成装置１は、HO元のセル（基地局）に設けられている。
【実施例１】
【００２７】
実施例１では、HO失敗原因「Too Late HO」に関するHO失敗ログを作成する。まず、図２を参照して「Too Late HO」を説明する。図２は「Too Late HO」の説明図である。まず、セルAに接続していた移動端末MSがHO処理を開始する前又は開始した直後に、セルAとの接続断が発生し、HOに失敗する（ステップＳ１）。その後、移動端末MSはセルBと再接続する（ステップＳ２）。これが「Too Late HO」の発生の手順である。移動端末MSに再接続されたセルBはセルAに対して、無線リンク断（Radio Link Failure：RLF）通知メッセージ（RLF Indication）を送信する（ステップＳ３）。「RLF Indication」を受信したセルAは、セルBに対する「Too Late HO」の発生を検知する。
【００２８】
図３、図４及び図５は、実施例１に係る端末区別情報記憶部１１の構成例である。実施例１では、端末区別情報記憶部１１は、HO元での移動端末識別子（移動端末ID）に関連付けて、各移動端末の属性情報を保持する。移動端末IDとしては、例えばLTEシステムではC-RNTIを利用できる。
【００２９】
図３の例では、HO元での移動端末IDに関連付けて、各移動端末のトラヒック種別を保持する。トラヒック種別としては、例えば、GBR（Guaranteed Bit Rate）トラヒックもしくはNon-GBRトラヒック、リアルタイムトラヒックもしくはノンリアルタイムトラヒック、又は、VoIP（Voice Over IP）トラヒックもしくはNon-VoIPトラヒック、などが挙げられる。複数種類のトラヒック種別を組み合わせて用いてもよい。トラヒック種別は、HOパラメータの決定に影響する属性情報である。
【００３０】
例えば、ストリーミングビデオやテレビ電話、VoIPなどのリアルタイムトラヒックは、通信切断や通信遅延の影響を大きく受けるため、通信品質の要求が高く、したがって、低いHO失敗率が要求される。一方、FTPやHTTPなどのノンリアルタイムトラヒックでは、リアルタイムトラヒックと比較すると、ある程度のHO失敗を許容することができる。このため、移動端末が通信しているトラヒック種別に応じて、適切なHOパラメータが異なる。
【００３１】
図４の例では、HO元での移動端末IDに関連付けて、各移動端末の基地局間負荷分散対象種別を保持する。基地局間負荷分散対象種別は、基地局間負荷分散（MLB：Mobility Load Balancing）の対象（MLB）と、対象外（Non-MLB）とである。なお、MLBの対象とする移動端末の選択方法は任意である。例えば、移動端末が通信しているトラヒック種別が、Non-GBRである場合にMLB対象とし、GBRである場合にNon-MLBとすることが挙げられる。
【００３２】
基地局間負荷分散対象種別は、HOパラメータの決定に影響する属性情報である。MLB対象の移動端末に対しては、隣接基地局へのHOタイミングを変更するためにHOパラメータを利用するので、Non-MLBの移動端末とは異なるHOパラメータが設定される。このため、移動端末の基地局間負荷分散対象種別に応じて、適切なHOパラメータが異なる。
【００３３】
図５の例では、HO元での移動端末IDに関連付けて、各移動端末の速度種別を保持する。速度種別としては、例えば、高速、中速または低速の３段階が挙げられる。速度種別は、HOパラメータの決定に影響する属性情報である。高速の移動端末に対しては、中速度や低速度の移動端末よりもHOタイミングを早くするHOパラメータを設定することが好ましいと考えられる。同様に、中速の移動端末に対しては、低速度の移動端末よりもHOタイミングを早くするHOパラメータを設定することが好ましいと考えられる。このため、移動端末の速度種別に応じて、適切なHOパラメータが異なる。
【００３４】
なお、移動端末の移動方向を属性情報として用いてもよい。移動端末の移動方向もHOの成功／失敗に影響する場合がある。このため、移動端末の移動方向に応じて、適切なHOパラメータが異なる。移動端末の移動速度や移動方向は、移動端末の移動状態を示す。
【００３５】
端末区別情報記憶部１１に記憶される端末区別情報は、移動端末の状態に応じて、適宜、追加、削除または更新される。
【００３６】
次に、図２を参照して実施例１に係るログ集計部１２の動作を説明する。「Too Late HO」により接続断となった移動端末MSは、セルBに再接続する（ステップＳ２）。この再接続処理において、移動端末MSは、セルBに対して、HO元のセル（ここではセルA）のセルIDとHO元のセルAでの移動端末IDとを通知する。そして、ステップＳ３でセルBからセルAに送信される「RLF Indication」は、当該「Too Late HO」に関するHO元のセルAのセルIDと、HO元のセルAでの移動端末IDとを有する。
【００３７】
ログ集計部１２には、再接続先のセルBのセルIDと、ステップＳ３においてセルAで受信された「RLF Indication」に含まれるHO元のセルAのセルID及びHO元のセルAでの移動端末IDとが、「Too Late HO」のHO失敗情報として入力される。ログ集計部１２は、そのHO失敗情報中のHO元のセルAでの移動端末IDに基づいて、端末区別情報記憶部１１から属性情報を取得する。次いで、ログ集計部１２は、該取得した属性情報に基づいて当該「Too Late HO」のハンドオーバ失敗情報を集計する移動端末グループを判断する。次いで、ログ集計部１２は、再接続先のセルBのセルIDに該当する隣接セル（セルB）且つ該判断結果の移動端末グループに関して、「Too Late HO」のHO失敗情報の集計を行い、HO失敗ログを作成する。
【００３８】
図６は、実施例１に係るHO失敗ログの構成例である。図６において、HO失敗ログには、HO失敗原因「Too Late HO」に関するものであり、隣接セル毎、且つ、移動端末グループ毎に、「Too Late HO」発生回数の集計値が記録される。
【００３９】
なお、HO失敗ログは、全移動端末グループを対象にして作成してもよく、又は、移動端末グループの一部のみを対象にして作成してもよい。
【実施例２】
【００４０】
実施例２では、HO失敗原因「Too Early HO」に関するHO失敗ログを作成する。まず、図７を参照して「Too Early HO」を説明する。図７は「Too Early HO」の説明図である。まず、セルAに接続していた移動端末MSは、HO処理を開始するための契機となるMRの送信判定条件を満たすと、セルAにMRを送信し（ステップＳ１１）、セルBへのHO処理を開始する（ステップＳ１２）。次いで、移動端末MSは、HO処理の開始直後、又はHO処理完了直後に、セルBとの接続断が発生し（ステップＳ１３）、セルAに再接続する（ステップＳ１４）。これが「Too Early HO」の発生の手順である。移動端末MSに再接続されたセルAは、セルBに対して「RLF Indication」を送信する（ステップＳ１５）。セルBは、ステップＳ１２のHO処理実施後、一定の保留期間以内に「RLF Indication」を受信した場合には、セルAに対して「Handover Report」を送信する（ステップＳ１６）。「Handover Report」を受信したセルAは、セルBに対する「Too Early HO」の発生を検知する。
【００４１】
図８は、実施例２に係る端末区別情報記憶部１１の構成例である。実施例２では、端末区別情報記憶部１１は、HO元での移動端末IDに関連付けて、各移動端末の属性情報、HO先でのセルIDおよび移動端末IDを保持する。なお、図８では、属性情報の例としてトラヒック種別を用いているが、実施例１と同様に、基地局間負荷分散対象種別や移動状態などを用いるようにしてもよい。
【００４２】
端末区別情報記憶部１１は、HOが発生する度に、当該HOに関する端末区別情報を追加する。HO先での移動端末IDについては、図７のステップＳ１２において、基地局間ネットワーク経由でのHO元セルとHO先セル間の通信により得られるHO処理情報から取得可能である。端末区別情報記憶部１１に記憶される端末区別情報は、該当する移動端末の「Too Early HO」に関するHO失敗情報の集計が終了した場合、又は、該集計を開始するまでの所定の待ち時間が経過した場合に、削除される。
【００４３】
次に、図７を参照して実施例２に係るログ集計部１２の動作を説明する。「Too Early HO」により接続断となった移動端末MSは、セルAに再接続する（ステップＳ１４）。この再接続処理において、移動端末MSは、セルAに対して、HO先のセル（ここではセルB）のIDとHO先のセルBでの移動端末IDとを通知する。
【００４４】
ログ集計部１２には、ステップＳ１４においてセルAで受信された再接続メッセージに含まれるHO先のセルBのセルIDとHO先のセルBでの移動端末IDが、「Too Early HO」のHO失敗情報として入力される。ログ集計部１２は、そのHO失敗情報中のHO先のセルBのセルIDとHO先のセルBでの移動端末IDに基づいて、端末区別情報記憶部１１から、当該移動端末MSのHO元での移動端末IDに関連付けられた属性情報を取得する。次いで、ログ集計部１２は、該取得した属性情報に基づいて当該「Too Early HO」のハンドオーバ失敗情報を集計する移動端末グループを判断する。次いで、ログ集計部１２は、HO先のセルBのセルIDに該当する隣接セル（セルB）且つ該判断結果の移動端末グループに関して、「Too Early HO」のHO失敗情報の集計を行い、HO失敗ログを作成する。
【００４５】
図９は、実施例２に係るHO失敗ログの構成例である。図９において、HO失敗ログには、HO失敗原因「Too Early HO」に関するものであり、隣接セル毎、且つ、移動端末グループ毎に、「Too Early HO」発生回数の集計値が記録される。
【００４６】
なお、HO失敗ログは、全移動端末グループを対象にして作成してもよく、又は、移動端末グループの一部のみを対象にして作成してもよい。
【実施例３】
【００４７】
実施例３では、HO失敗原因「HO to Wrong Cell」に関するHO失敗ログを作成する。まず、図１０を参照して「HO to Wrong Cell」を説明する。図１０は「HO to Wrong Cell」の説明図である。まず、セルAに接続していた移動端末MSは、セルBへのHO処理を開始するための契機となるMRの送信判定条件を満たすと、セルAにMRを送信し（ステップＳ２１）、セルBへのHO処理を開始する（ステップＳ２２）。次いで、移動端末MSは、HO処理の開始直後、又はHO処理完了直後に、セルBとの接続断が発生し（ステップＳ２３）、セルCに再接続する（ステップＳ２４）。これが「HO to Wrong Cell」の発生の手順である。
【００４８】
移動端末MSに再接続されたセルCは、セルBに対して「RLF Indication」を送信する（ステップＳ２５）。セルBは、ステップＳ２２のHO処理実施後、一定の保留期間以内に「RLF Indication」を受信した場合には、セルAに対して「Handover Report」を送信する（ステップＳ２６）。「Handover Report」を受信したセルAは、セルBを「Target Cell」とし、セルCを「Reconnection Cell」とする「HO to Wrong Cell」の発生を検知する。
【００４９】
「HO to Wrong Cell」は３つの異なるセルA（Source Cell）、セルB（Target Cell）、セルC（Reconnection Cell）の間で発生する事象であり、その発生原因は、「Target Cell」へのHOタイミングが早すぎる、又は、「Reconnection Cell」へのHOタイミングが遅すぎる、又は、その両方である。このため、「HO to Wrong Cell」に関して、「Target Cell」に対するHO失敗と、「Reconnection Cell」に対するHO失敗とに区別してHO失敗ログを作成することが好ましい。これにより、「HO to Wrong Cell」の発生を解消するために、「Source Cell」と「Target Cell」間のHOパラメータ、及び「Source Cell」と「Reconnection Cell」間のHOパラメータをそれぞれに対象として、適切なHOパラメータを決定できるようになる。
【００５０】
次に、図１０を参照して実施例３に係るログ集計部１２の動作を説明する。
はじめに、「HO to Wrong Cell」における「Target Cell」に対するHO失敗ログを作成する動作を説明する。端末区別情報記憶部１１は、実施例２の「Too Early HO」に係る図８の構成例と同様である。「HO to Wrong Cell」により接続断となった移動端末MSは、セルCに再接続する（ステップＳ２４）。この再接続処理において、移動端末MSは、セルCに対して、HO先のセル（ここではセルB）のセルIDとHO先のセルBでの移動端末IDを通知する。セルCは、ステップＳ２４で再接続メッセージにより移動端末MSから通知されたHO先のセルBのセルID及びHO先のセルBでの移動端末IDを、セルAに通知する。又は、ステップＳ２５で「RLF Indication」によりセルCからセルBに通知されたHO先のセルBのID及びHO先のセルBでの移動端末IDを、セルBがセルAに通知する。
【００５１】
ログ集計部１２には、セルAに通知されたHO先のセルBのセルIDとHO先のセルBでの移動端末IDが、「HO to Wrong Cell」における「Target Cell」のHO失敗情報として入力される。ログ集計部１２は、そのHO失敗情報中のHO先のセルBのセルIDとHO先のセルBでの移動端末IDに基づいて、端末区別情報記憶部１１から、当該移動端末MSのHO元での移動端末IDに関連付けられた属性情報を取得する。次いで、ログ集計部１２は、該取得した属性情報に基づいて当該「HO to Wrong Cell」における「Target Cell」のハンドオーバ失敗情報を集計する移動端末グループを判断する。次いで、ログ集計部１２は、HO先のセルBのセルIDに該当する隣接セル（セルB）且つ該判断結果の移動端末グループに関して、「HO to Wrong Cell」における「Target Cell」のHO失敗情報の集計を行い、「HO to Wrong Cell」における「Target Cell」のHO失敗ログを作成する。
【００５２】
次に、「HO to Wrong Cell」における「Reconnection Cell」に対するHO失敗ログを作成する動作を説明する。端末区別情報記憶部１１は、実施例１の「Too Late HO」に係る図３、図４、図５の構成例と同様である。「HO to Wrong Cell」により接続断となった移動端末MSは、セルCに再接続する（ステップＳ２４）。この再接続処理において、移動端末MSは、セルCに対して、HO先のセル（ここではセルB）のセルIDとHO先のセルBでの移動端末IDを通知する。又、ステップＳ２５において、セルCからセルBに送信される「RLF Indication」は、当該「HO to Wrong Cell」に関するHO元のセルAのセルIDとHO元のセルAでの移動端末IDを有する。セルC又はセルBは、HO元のセルAのセルIDとHO元のセルAでの移動端末IDを、セルAに通知する。
【００５３】
ログ集計部１２には、「Reconnection Cell」であるセルCのセルIDと、セルAに通知されたHO元のセルAのセルIDとHO元のセルAでの移動端末IDとが、「HO to Wrong Cell」における「Reconnection Cell」のHO失敗情報として入力される。ログ集計部１２は、そのHO失敗情報中のHO元のセルAでの移動端末IDに基づいて、端末区別情報記憶部１１から属性情報を取得する。次いで、ログ集計部１２は、該取得した属性情報に基づいて当該「HO to Wrong Cell」における「Reconnection Cell」のハンドオーバ失敗情報を集計する移動端末グループを判断する。次いで、ログ集計部１２は、「Reconnection Cell」であるセルCのセルIDに該当する隣接セル（セルC）且つ該判断結果の移動端末グループに関して、「HO to Wrong Cell」における「Reconnection Cell」のHO失敗情報の集計を行い、「HO to Wrong Cell」における「Reconnection Cell」のHO失敗ログを作成する。
【００５４】
図１１は、実施例３に係るHO失敗ログの構成例である。図１１において、HO失敗ログには、HO失敗原因「HO to Wrong Cell」に関するものであり、「Target Cell」と「Reconnection Cell」の別に、隣接セル毎、且つ、移動端末グループ毎に、「HO to Wrong Cell」発生回数の集計値が記録される。
【００５５】
上述した第１実施形態によれば、異なるHOパラメータが設定される移動端末を区別してHO失敗ログを作成することができる。これにより、各移動端末に対して該当するHO失敗ログに基づいて適切なHOパラメータの決定を行うことができるので、各移動端末に応じたHOタイミングの調整に寄与することが可能となる。
【００５６】
なお、端末区別情報記憶部１１については、各セルとの通信リンクが設けられた集中制御局等の上位装置に設けるようにしてもよい。
【００５７】
また、上述した実施例１から３ではHO失敗原因（「Too Late HO」、「Too Early HO」、「HO to Wrong Cell」）別にHO失敗ログを作成したが、実施例１、２又は３を組み合わせてHO失敗ログを作成するようにしてもよい。
【００５８】
［第２実施形態］
図１２は、本発明の第２実施形態に係るHO制御システム１００の概略構成図である。図１２において、HO制御システム１００は、HOログ作成装置１とHOパラメータ決定装置３０とHOパラメータ通知装置４０を有する。HOログ作成装置１は、第１実施形態と同じである。
【００５９】
図１３は、図１２に示すHOパラメータ決定装置３０の概略構成図である。HOパラメータ決定装置３０は、端末区別情報記憶部３１と決定部３２を有する。端末区別情報記憶部３１は、第１実施形態と同様である。但し、HO制御システム１００において、HOログ作成装置１の端末区別情報記憶部１１とHOパラメータ決定装置３０の端末区別情報記憶部３１は同じである。
【００６０】
HOパラメータ決定装置３０には、HOログ作成装置１からHO失敗ログが入力される。HOパラメータ決定装置３０の決定部３２は、端末区別情報記憶部３１に記憶される端末区別情報に基づいた移動端末グループ毎に、HOパラメータを決定する。このHOパラメータ決定処理では、HOログ作成装置１から入力されたHO失敗ログに基づいてHOパラメータの決定を行う。該HO失敗ログは、端末区別情報記憶部３１に記憶される端末区別情報に基づいた移動端末グループ毎に作成されているので、各移動端末グループに適切なHOパラメータを決定することができる。
【００６１】
HOパラメータ決定装置３０は、各移動端末グループのHOパラメータを示すHOパラメータ情報を出力する。
【００６２】
図１４は、図１２に示すHOパラメータ通知装置４０の概略構成図である。HOパラメータ通知装置４０は、端末区別情報記憶部４１と通知部４２を有する。端末区別情報記憶部４１は、第１実施形態と同様である。但し、HO制御システム１００において、HOパラメータ通知装置４０の端末区別情報記憶部４１とHOパラメータ決定装置３０の端末区別情報記憶部３１は同じである。
【００６３】
HOパラメータ通知装置４０には、HOパラメータ決定装置３０からHOパラメータ情報が入力される。HOパラメータ通知装置４０の通知部４２は、端末区別情報記憶部４１に記憶される端末区別情報に基づいた移動端末グループに属する移動端末に対して、該当する移動端末グループに設定されたHOパラメータを通知する。各移動端末グループに設定されたHOパラメータは、HOパラメータ決定装置３０から入力されたHOパラメータ情報から取得される。
【００６４】
上述した第２実施形態によれば、各移動端末に対して、該当するHO失敗ログに基づいて適切なHOパラメータの決定を行い、該決定したHOパラメータを通知することができる。これにより、各移動端末に応じたHOタイミングの調整に寄与することが可能となる。
【００６５】
なお、端末区別情報記憶部１１、３１、４１は、各装置１、３０、４０にそれぞれ設けてもよく、又は、共通的に設けてもよい。
【００６６】
以上、本発明の実施形態について図面を参照して詳述してきたが、具体的な構成はこの実施形態に限られるものではなく、本発明の要旨を逸脱しない範囲の設計変更等も含まれる。
【００６７】
また、上述したHOログ作成装置またはHOパラメータ通知装置を実現するためのプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６９】
１…HOログ作成装置（ハンドオーバログ作成装置）、１１，３１，４１…端末区別情報記憶部、１２…ログ集計部、３０…HOパラメータ決定装置（ハンドオーバパラメータ決定装置）、４０…HOパラメータ通知装置（ハンドオーバパラメータ通知装置）、３２…決定部、４２…通知部、１００…HO制御システム（ハンドオーバ制御システム）
【図１】
2014099737.tif 000003
【図２】
2014099737.tif 000004
【図３】
2014099737.tif 000005
【図４】
2014099737.tif 000006
【図５】
2014099737.tif 000007
【図６】
2014099737.tif 000008
【図７】
2014099737.tif 000009
【図８】
2014099737.tif 000010
【図９】
2014099737.tif 000011
【図１０】
2014099737.tif 000012
【図１１】
2014099737.tif 000013
【図１２】
2014099737.tif 000014
【図１３】
2014099737.tif 000015
【図１４】
2014099737.tif 000016